(57)【要約】【課題】無線タグと複数枚のカード媒体を同一人が所持する場合のセキュリティ面および運用面の向上を図る。【解決手段】カードホルダ１００は、完全に重なり合わない第１の収納部２１ａと第２の収納部２１ｂを備え、第１の収納部２１ａと第２の収納部２１ｂが重ならない位置に無線タグ２０とストラップ４１を通すための穴部４２が設けられる。また、カードの収納部に凸部３１ａを設け、カード２００に凹部３１ｂを設けることにより、凸部３１ａと凹部３１ｂとが合致しないカード２００の誤挿入を防止し、第１のスイッチ２２ａと、第２のスイッチ２２ｃによりカード２００の収納状態を検出し、その検出した情報に基づきカード収納部にカード２００が完全に収納されているか否かを検出する。【選択図】図３Ａ
2008262400.tif 000002
【特許請求の範囲】
【請求項１】
ＩＤ（Identification）情報を記憶したＩＤ記憶手段および前記ＩＤ情報を所定の信号形態により無線で送信するＩＤ送信手段を備えた無線タグと、
カードを収納するためのカード収納部と、
を備えたカードホルダにおいて、
前記カード収納部は、カードホルダの一方の面に、第１のカードを収納するための第１の収納部と、前記第１の収納部の反対側に位置するもう一方の面に、第２のカードを収納するための第２の収納部とを備え、
前記第１の収納部および第２の収納部と重ならない位置に前記無線タグを設けたことを特徴とするカードホルダ。
【請求項２】
請求項１に記載のカードホルダにおいて、
前記第１の収納部のカード収納方向と、前記第２の収納部のカード収納方向とが略垂直であることを特徴とするカードホルダ。
【請求項３】
請求項１に記載のカードホルダにおいて、
前記第１の収納部および第２の収納部と重ならない位置で、かつ前記無線タグと重ならない位置に穴部を設け、前記穴部に吊り下げ部材を通し、この吊り下げ部材で前記カードホルダを吊り下げた状態において、前記第１の収納部および前記第２の収納部からのカードの取り出し方向が斜め上向きであることを特徴とするカードホルダ。
【請求項４】
請求項１に記載のカードホルダにおいて、
前記カード収納部へカードの所定の面が内側に向いて挿入されることを防止する誤挿入防止手段を設け、
前記誤挿入防止手段は、前記カード収納部に設けた第１の凹凸部であり、
前記カード収納部へカードを挿入する際、前記第１の凹凸部と挿入するカードに施された第２の凹凸部とが合致した場合は、カードは所定の面を内側に向けることなく、前記カードホルダへ完全に収納され、前記第１の凹凸部と前記第２の凹凸部とが合致しない場合は、カードは前記カードホルダへ完全に収納されないことを特徴とするカードホルダ。
【請求項５】
請求項１に記載のカードホルダにおいて、
電力を供給する電源部と、前記電源部の電力残量を表示する残量表示手段を備え、
前記残量表示手段は、前記電源部の電力残量が所定量以上の場合と所定量未満の場合とで異なる表示を行うことを特徴とするカードホルダ。
【請求項６】
請求項１または請求項４に記載のカードホルダにおいて、
前記カード収納部へカードが完全に収納されたか否かを検出する収納検出手段を備え、
前記収納検出手段は、前記カード収納部に設けられた第１のスイッチおよび第２のスイッチからなり、
前記カード収納部へカードを挿入した場合、まず始めに、挿入したカードによる前記第１のスイッチの押下状態を検出し、続いて、挿入したカードによる前記第２のスイッチの押下状態を検出し、最後に、挿入したカードが前記カード収納部へ収納され、前記第１のスイッチが元の位置に復帰した状態を検出し、
前記第２のスイッチの押下状態および前記第１のスイッチの復帰状態を検出したことにより、前記カード収納部へカードが完全に収納されたことを検出することを特徴とするカードホルダ。
【請求項７】
請求項１または請求項４に記載のカードホルダにおいて、
前記カード収納部へカードが完全に収納されたか否かを検出する収納検出手段を備え、
前記収納検出手段は、前記カード収納部に設けられたスイッチおよび情報読取り部からなり、
前記カード収納部へカードを挿入した場合、まず始めに、挿入したカードによる前記スイッチの押下状態を検出し、続いて、挿入したカードに設けられたカード情報記録部と前記情報読取り部により、カードに記憶されている情報の読み取りを行い、前記カード収納部におけるカードの有無を検出し、最後に、挿入したカードが前記カード収納部へ収納され、前記スイッチが元の位置に復帰した状態を検出し、
前記カード情報読取り部がカード有りの状態を検出し、かつ前記スイッチの復帰状態を検出したことにより、前記カード収納部へカードが完全に収納されたことを検出することを特徴とするカードホルダ。
【発明の詳細な説明】
【技術分野】
【０００１】
本発明は、入退出管理や所在管理などに用いられるカード媒体や無線タグを一体として備えたカードホルダに関する。
【背景技術】
【０００２】
無線タグは、内蔵メモリにタグ固有のＩＤ（Identification）情報が記憶され、無線によりレシーバとの間で通信を行う非接触媒体であって、一般にＲＦＩＤ（Radio  Frequency Identification）タグと呼ばれている。無線タグには、パッシブ型のものとアクティブ型のものとがある。
パッシブ型無線タグは、所定エリア内にてリーダからの電波をエネルギー源として動作するため、電池を内蔵する必要がなく、得られたエネルギーを電源として内部回路を駆動して通信を行う受動型の無線タグである。
これに対し、アクティブ型無線タグは電池を内蔵したタグであり、リーダからの電波をエネルギー源とせずに通信を行う能動型の無線タグである。
【０００３】
アクティブ型無線タグは、エリアに関係なくタグに記憶されているＩＤが自動的に送信されるため、主として人や物の所在管理などに用いられる。また、タグＩＤを暗号化することで、アクセス制限を目的とする用途、例えば入退室管理や設備使用管理などにも用いることができる。
一方、パッシブ型無線タグは、使用できるエリアが制限されるため、主として入退室管理や設備使用管理などに用いられる。
例えば、入退室管理に用いられる非接触式ＩＣカードは、パッシブ型無線タグの一種である。アクセス制限用記録媒体としては、非接触式ＩＣカード以外に、接触式ＩＣカードや磁気カードも使用される。
【０００４】
このように、利用目的の異なる２種類の記録媒体が存在することから、例えば、構内における人の所在管理や、特定の場所・設備に対するアクセス管理にはアクティブ型無線タグを用い、それ以外のアクセス管理にはカード媒体を用いるといった併用運用を行うことが考えられる。
【０００５】
また、最近では、目的や用途に応じて１人に複数枚のカード媒体が供与されるケースも増えている。例えば、これまで社員証として使用されていたＩＣカードに加えて、新たに特定場所での入退室管理を目的として作成されたＩＣカードが追加される場合などがこれに該当する。さらに、これらのＩＣカードに加えて、所在管理などを目的とした無線タグが併用されるような運用も行われている。
しかしながら、このように媒体の種類が多くなると、媒体所持者は、複数の媒体のそれぞれを管理しなければならないという煩わしさに加え、媒体を所持するにあたって一部を付け忘れたり、ひいては媒体を紛失する可能性もある。このため、セキュリティ面や運用面で問題が生じる。
【０００６】
下記の特許文献１には、所有者固有のＩＤ情報を記憶したＩＣカードが複数枚装着可能なカードケースと、このカードケースに設けられたカードを着脱可能な状態で保持するカード保持手段とを備えたカードケースが記載されている。しかしながら、本文献に記載されているのは、ＩＣカードを着脱可能な状態で所持し、かつ複数枚装着可能なカードケースであり、同一人が無線タグおよび複数のカード媒体を別個に所持することによって発生しうるセキュリティ面および運用面での問題を解決できるものではない。
【０００７】
下記の特許文献２には、所有者固有のＩＤ情報を記憶したＩＣカードが複数枚装着可能なカードホルダと、このカードホルダに装着された複数のＩＣカードによって発生する相互干渉の問題を解消すべく設けられた複数のカード収納部とを備えたカードホルダが記載されている。しかしながら、本文献に記載されているのは、ＩＣカードを複数収納でき、かつ複数のＩＣカードによって発生する相互干渉の問題を解決すべく設けられたカード収納部を備えたカードホルダであって、同一人が無線タグおよび複数のカード媒体を別個に所持することによって発生しうるセキュリティ面および運用面での問題を解決できるものではない。
【０００８】
【特許文献１】特開２００５−７８３０１号公報
【特許文献２】特開２００１−２９１０７５号公報
【発明の開示】
【発明が解決しようとする課題】
【０００９】
本発明は、上述した問題点に鑑み、無線タグおよび複数のカード媒体を同一人が所持する場合のセキュリティ面および運用面での向上を図ることのできるカードホルダを提供することを課題とする。
【課題を解決するための手段】
【００１０】
本発明に係るカードホルダは、ＩＤ（Identification）情報を記憶したＩＤ記憶手段およびＩＤ情報を所定の信号形態により無線で送信するＩＤ送信手段を備えた無線タグと、カードを収納するためのカード収納部とを備えたカードホルダであって、カード収納部は、カードホルダの一方の面に、第１のカードを収納するための第１の収納部と、第１の収納部の反対側に位置するもう一方の面に、第２のカードを収納するための第２の収納部とを備える。そして、第１の収納部および第２の収納部と重ならない位置に無線タグが設けられる。
【００１１】
これにより、種類の異なる媒体を１つのカードホルダで一体として所持できるため、各媒体を別々に管理する煩わしさがなく、媒体の一部を付け忘れたり紛失したりすることも抑制できるので、セキュリティ面や運用面での向上を図ることができる。また、第１の収納部および第２の収納部と重ならない位置に無線タグを設けることにより、スペースを有効活用してカードホルダの厚みを薄くすることができる。
【００１２】
本発明の好ましい実施形態では、第１の収納部のカード収納方向と、第２の収納部のカード収納方向とを略垂直とする。
【００１３】
これにより、第１および第２のカードが非接触ＩＣカードである場合に、第１の収納部に収納されたカードと第２の収納部に収納されたカードとが完全に重なることはないため、カード間のアンテナの重なりによる相互干渉に起因する通信距離低下の問題を解消することができる。
【００１４】
また、本発明の好ましい実施形態では、上記カードホルダにおいて、第１の収納部および第２の収納部と重ならない位置で、かつ無線タグと重ならない位置に穴部を設け、この穴部に吊り下げ部材を通し、この吊り下げ部材でカードホルダを吊り下げた状態において、第１の収納部および第２の収納部からのカードの取り出し方向が斜め上向きとなるようにする。
【００１５】
これにより、カードホルダ携帯時において、第１の収納部または第２の収納部に収納されたカードの脱落を防止することができるため、セキュリティ面での向上を図ることができる。
【００１６】
また、本発明の好ましい実施形態では、上記カードホルダにおいて、カード収納部へカードの所定の面が内側に向いて挿入されることを防止する誤挿入防止手段を設ける。この誤挿入防止手段は、カード収納部に設けた凹部または凸部（第１の凹凸部）であり、カード収納部へカードを挿入する際、第１の凹凸部と挿入するカードに施された凸部または凹部（第２の凹凸部）とが合致した場合は、カードは所定の面を内側に向けることなく、カードホルダへ完全に収納され、第１の凹凸部と第２の凹凸部とが合致しない場合は、カードはカードホルダへ完全に収納されないようになっている。
【００１７】
このように、カード収納部に第１の凹凸部を設け、カードに第２の凹凸部を設けることにより、カードホルダへカードを収納する際において、第１の凹凸部と第２の凹凸部が完全に一致した場合は、カードはカードホルダへ完全に収納され、第１の凹凸部と第２の凹凸部が完全に一致しない場合は、カードはカードホルダへ完全に収納されないため、カードが氏名や写真などを印刷した社員証などの場合に、カードを表裏逆に挿入することが防止される。この結果、カードの印刷面を表側にして外部からの視認性を確保することができ、第三者による氏名や写真などの目視が容易となって運用面におけるセキュリティ性が向上する。
【００１８】
また、本発明の好ましい実施形態では、上記カードホルダにおいて、カードホルダの各部へ電力を供給する電源部の電力残量が所定量以上の場合と所定量未満の場合とで異なる表示をする残量表示手段を備える。
【００１９】
これにより、カードホルダに備えられている電源部の電力残量を知ることができ、電力が枯渇する前に電源部の交換を行えるなど、運用面での向上を図ることができる。
【００２０】
また、本発明の好ましい実施形態では、上記カードホルダにおいて、カード収納部へカードが完全に収納されたか否かを検出する収納検出手段として、カード収納部に第１のスイッチと第２のスイッチを備える。カード収納部へカードを挿入した場合、まず始めに、挿入したカードによる第１のスイッチの押下状態を検出し、続いて、挿入したカードによる第２のスイッチの押下状態を検出し、最後に、挿入したカードがカード収納部へ収納され、第１のスイッチが元の位置に復帰した状態を検出する。そして、第２のスイッチの押下状態および第１のスイッチの復帰状態を検出したことにより、カード収納部へカードが完全に収納されたことを検出する。
【００２１】
これにより、第２のスイッチの押下状態および第１のスイッチの復帰状態を検出した場合は、カード収納部へカードが完全に収納されたことを検出するため、例えばカード収納を検出した場合に無線タグの機能を能動化し、カード収納が検出されない場合は無線タグの機能を能動化しないなどの処理を行うことで、運用面におけるセキュリティ性が向上する。
【００２２】
また、本発明では、収納検出手段として、カード収納部にスイッチとカード情報読取り部を設けてもよい。カード収納部へカードを挿入した場合、まず始めに、挿入したカードによるスイッチの押下状態を検出し、続いて、挿入したカードに設けられたカード情報記録部と情報読取り部により、カードに記憶されている情報の読み取りを行い、カード収納部におけるカードの有無を検出し、最後に、挿入したカードがカード収納部へ収納され、スイッチが元の位置に復帰した状態を検出する。そして、カード情報読取り部がカード有りの状態を検出し、かつスイッチの復帰状態を検出したことにより、カード収納部へカードが完全に収納されたことを検出する。
【００２３】
これにより、カード情報読取り部によるカード有りの状態およびスイッチの復帰状態を検出した場合は、カード収納部へカードが完全に収納されたことを検出するため、例えばカード収納を検出した場合に無線タグの機能を能動化し、カード収納が検出されない場合は無線タグの機能を能動化しないなどの処理を行うことで、運用面におけるセキュリティ性が向上する。
【発明の効果】
【００２４】
本発明によれば、無線タグおよび複数のカード媒体を同一人が１つのカードホルダで一体として所持することによって、セキュリティ面および運用面での向上を図ることができるとともに、第１および第２の収納部と重ならない位置に無線タグを設けることにより、カードホルダの厚みを薄くすることができる。
【発明を実施するための最良の形態】
【００２５】
以下、本発明の実施形態につき、図面を参照しながら説明する。
図１Ａ〜図３Ｂは、本発明を適用したカードホルダの一例を示す図である。
図１Ａは、カードホルダ１００およびカードホルダ１００に収納するカード２００を表側から立体的に見た場合の外観図であり、図１Ｂは、カードホルダ１００およびカードホルダ１００に収納するカード２００を裏側から立体的に見た場合の外観図である。カード２００は、アンテナを備えた非接触ＩＣカードからなる。
図中において、２１ａはカードを収納するための第１の収納部、２１ｂはカードを収納するための第２の収納部、２２ａおよび２２ｂはカード収納検出用の第１のスイッチ、２２ｃおよび２２ｄはカード収納検出用の第２のスイッチ、２３は透孔、３１ａは半月状の凸部、４１はカードホルダ１００を吊り下げるための吊り下げ部材を構成しているストラップ、４２はストラップ４１を通すための穴部であって、これらはカードホルダ１００に備わっている。３１ｂは半月状の凹部であって、これはカード２００に備わっている。また、１９は電力残量を表示するモニタであって、これは図１Ａに示すようにカードホルダ１００の表側に備わっており、詳細に関しては図３Ａの説明時に述べる。
【００２６】
第１の収納部２１ａはカードホルダ１００の表側にあって、カードが挿入される凹部２４と、挿入されたカードを保持する一対の凸部２５により形成され、カード２００を１枚のみ挿入することができる。また、第２の収納部２１ｂはカードホルダ１００の裏側にあって、カードが挿入される凹部２６と、挿入されたカードを保持する一対の凸部２７により形成され、カード２００を１枚のみ挿入することができる。
【００２７】
図２Ａは、カードホルダ１００に備えられた第１の収納部２１ａと第２の収納部２１ｂへそれぞれカード２００を収納する際の収納方向を示した図である。図中において、２０は無線タグであり、詳細に関しては図３Ａの説明時に述べる。図２Ａでは、図１Ａおよび図１Ｂと同一部分または対応する部分に同一符号を付してある。
【００２８】
カード２００は、第１の収納部２１ａにおいては図２Ａの矢印ｐの方向から、図中の一点鎖線で示す状態で収納され、第２の収納部２１ｂにおいては図２Ａの矢印ｑの方向から、図中の破線で示す状態で収納される。それぞれのカード収納方向である矢印ｐと矢印ｑとがなす角を図中のθで表してあり、本実施形態においてこの角θは略垂直（９０°）となる。
これにより、カードホルダ１００に収納される２枚のカード２００は、その収納時において完全に重なることがなく、各カードのアンテナ同士が完全に重なることによって発生する相互干渉に起因した通信距離の減少の問題を解消することができる。
【００２９】
また、第１の収納部２１ａと第２の収納部２１ｂとが重ならない位置に無線タグ２０を設けることによって、カードホルダ１００のスペースを有効活用してホルダの厚みを薄くすることができるとともに、２枚のカード２００と無線タグ２０といった複数の媒体を１つのカードホルダ１００で一体として所持することが可能となる。このため、各媒体を別々に管理する煩わしさがなく、媒体の一部を付け忘れたり紛失したりすることも抑制できるので、セキュリティ面や運用面での向上を図ることができる。
【００３０】
さらに、カードホルダ１００に穴部４２を設け、この穴部４２にストラップ４１を通し、カードホルダ１００を首から吊り下げることによって携帯し易くなるといった運用面での向上も図ることができる。
【００３１】
図２Ｂは、カードホルダ１００に備えられた第１の収納部２１ａと第２の収納部２１ｂにそれぞれ収納されたカード２００を取り出す際の取り出し方向を示した図である。図２Ｂでは、図２Ａと同一部分または対応する部分に同一符号を付してある。
【００３２】
カードホルダ１００に設けられた穴部４２にストラップ４１を通し、このストラップ４１によってカードホルダ１００を首から吊り下げる。このとき、第１の収納部２１ａに収納されたカード２００の取り出し方向は矢印ｒの方向であり、第２の収納部２１ｂに収納されたカード２００の取り出し方向は矢印ｓの方向である。矢印ｒおよび矢印ｓの方向は、図２Ｂに示したカードホルダ１００をストラップ４１によって吊り下げた状態においては、斜め上向きとなる。
これにより、カード２００は第１の収納部２１ａまたは第２の収納部２１ｂに収納されている状態において、容易にカードホルダ１００から脱落することはなく、ユーザーは脱落の心配がない状態で本カードホルダ１００を携帯することができる。
【００３３】
図３Ａは、カードホルダ１００およびカードホルダ１００に収納するカード２００を表側から平面的に見た場合の外観図であり、図３Ｂは、カードホルダ１００およびカードホルダ１００に収納するカード２００を裏側から平面的に見た場合の外観図である。図３Ａおよび図３Ｂでは、図１Ａおよび図１Ｂと同一部分または対応する部分に同一符号を付してある。カード２００は例えば社員証として用いられ、表側には文字や写真が印刷されている。
【００３４】
図中において、２０は無線タグ、１６は無線タグ２０に設けられた回路部、である。回路部１６において、１１はＩＤ情報を記憶したメモリで、本発明のＩＤ記憶手段の一実施形態を構成している。１５はメモリ１１に記憶されたＩＤ情報を送信するためのアンテナで、本発明のＩＤ送信手段の一実施形態を構成している。１７は無線タグ２０に設けられており、各部に電力を供給する電源部である。１９は電源部１７の電力残量を表示するモニタで、本発明の残量表示手段の一実施形態を構成している。これらは図３Ａおよび図３Ｂに示すように、カードホルダ１００における第１の収納部２１ａおよび第２の収納部２１ｂと重ならない位置に備わっている。
【００３５】
無線タグ２０は、メモリ１１とアンテナ１５とを備えた回路部１６と電源部１７により構成されており、電源部１７から常時供給される電力により回路部１６を駆動させ、メモリ１１に記憶されているＩＤ情報をアンテナ１５により送信し、アンテナ１５により送信されたＩＤ情報を受信するリーダ（図示省略）との間で通信を行う。電源部１７の電力残量は、残量表示手段であるモニタ１９によって確認することができる。モニタ１９は、例えば液晶ディスプレイからなり、電源部１７の電力残量が所定量以上の場合と所定量未満の場合とで、ユーザーが視認できる形態で異なる表示を行う。表示例としては、電池マークの表示を用いて、電力残量に応じて、表示された電池の一部を段階的に消滅させる方法や、電力残量が所定量以上の場合は点灯表示をさせ、所定量未満の場合は点滅表示をさせる方法などが挙げられる。これにより、ユーザーは電源部１７の交換時期を知ることができる。なお、モニタ１９としては、液晶ディスプレイ以外にＬＥＤ（発光ダイオード）などを用いることもできる。
【００３６】
図４は、無線タグ２０の電気的構成を示すブロック図である。１１ａはメモリ１１に記憶した無線タグ２０に固有のＩＤ情報（タグＩＤ）であって、このＩＤ情報１１ａは例えば７桁の平文で記憶されている。１２はＩＤ情報１１ａを所定の暗号アルゴリズムに従って暗号化する暗号処理部、１３は暗号化したＩＤ情報に対して変調を行う変調部、１４は変調部１３から出力される変調波の送信制御を行う送信制御部である。１７は前述の電源部であって、常時各部へ電力を供給し、１８は電源部１７からの電力残量情報を検出する残量検出部である。１１、１２〜１４、１８のブロックは、図３Ａおよび図３Ｂにおける回路部１６を構成している。なお、暗号処理部１２は省略してもよい。
【００３７】
図５Ａ〜図６Ｂは本発明の第１実施形態を示した図である。図５Ａおよび図５Ｂは、カードホルダ１００の表側にあるカード収納部２１ａへのカード挿入に際し、カード２００の所定の面である印刷面３２が視認できる状態で挿入した場合と、印刷面３２が視認できない状態で挿入した場合の一例である。図５Ａおよび図５Ｂでは図１Ａと同一部分または対応する部分に同一符号を付してある。
【００３８】
図５Ａは、カードが正しく挿入される場合であって、カード２００は、図５Ａの矢印の方向から第１の収納部２１ａへ印字面３２が視認できる状態（外向き）で挿入される。このとき、第１の収納部２１ａに設けられた凸部３１ａと、カード２００に設けられた凹部３１ｂが合致するので、図中の一点鎖線で示す状態で、第１の収納部２１ａへカード２００は完全に収納される。
【００３９】
図５Ｂは、カードが正しく挿入されない場合であって、カード２００は、図５Ｂの矢印の方向から第１の収納部２１ａへ印字面３２が視認できない状態（内向き）で挿入される。このとき、第１の収納部２１ａに設けられた凸部３１ａと、カード２００に設けられた凹部３１ｂが完全に合致しないので、カード２００は図中の一点鎖線で示す位置までしか挿入できず、第１の収納部２１ａへ完全に収納されない。
【００４０】
なお、カード２００は凹部３１ｂが形成された側と反対側には凹部を有していないので（図１Ａ，図１Ｂ参照）、カード２００を凹部のない側から第１の収納部２１ａへ挿入した場合（すなわち挿入方向を誤った場合）も、凹凸が合致せずカード２００は完全に収納されない。さらに、凹部の数や間隔がカードホルダ側の凸部３１ａの数や間隔と異なるカードを挿入した場合も、凹凸が合致せずカードは完全に収納されない。
【００４１】
第１の収納部２１ａには、透孔２３が形成されており、この透孔２３から第１のスイッチ２２ａおよび第２のスイッチ２２ｃの一部がそれぞれ突出している。この第１のスイッチ２２ａおよび第２のスイッチ２２ｃは、カード２００が第１の収納部２１ａに収納されたことを検出するためのスイッチである。図５Ａのようにカード２００が第１の収納部２１ａへ完全に収納された場合は、第１のスイッチ２２ａが復帰状態、第２のスイッチ２２ｃが押下状態となるが、図５Ｂのようにカード２００が第１の収納部２１ａへ完全に収納されない場合は、第１のスイッチ２２ａと第２のスイッチ２２ｃは、共に押下状態となる。
【００４２】
図６Ａおよび図６Ｂは、カードホルダ１００の裏側にあるカード収納部２１ｂへのカード挿入に際し、カード２００の所定の面である印刷面３２が視認できる状態で挿入した場合と、印刷面３２が視認できない状態で挿入した場合の一例である。図６Ａおよび図６Ｂでは図１Ｂと同一部分または対応する部分に同一符号を付してある。
【００４３】
図６Ａは、カードが正しく挿入される場合であって、カード２００は、図６Ａの矢印の方向から第２の収納部２１ｂへ印字面３２が視認できる状態（外向き）で挿入される。このとき、第２の収納部２１ｂに設けられた凸部３１ａと、カード２００に設けられた凹部３１ｂが合致するので、図中の一点鎖線で示す状態で、第２の収納部２１ｂへカード２００は完全に収納される。
【００４４】
図６Ｂは、カードが正しく挿入されない場合であって、カード２００は、図６Ｂの矢印の方向から第２の収納部２１ｂへ印字面３２が視認できない状態（内向き）で挿入される。このとき、第２の収納部２１ｂに設けられた凸部３１ａと、カード２００に設けられた凹部３１ｂが完全に合致しないので、カード２００は図中の一点鎖線で示す位置までしか挿入できず、第２の収納部２１ｂへ完全に収納されない。
【００４５】
なお、前記の場合と同様に、カード２００を凹部のない側から第２の収納部２１ｂへ挿入した場合（挿入方向を誤った場合）や、凹部の数や間隔が凸部３１ａのそれらと異なるカードを挿入した場合も、カードは完全に収納されない。
【００４６】
第２の収納部２１ｂには、透孔２３が形成されており、この透孔２３から第１のスイッチ２２ｂおよび第２のスイッチ２２ｄの一部がそれぞれ突出している。この第１のスイッチ２２ｂおよび第２のスイッチ２２ｄは、カード２００が第２の収納部２１ｂに収納されたことを検出するためのスイッチである。図６Ａのようにカード２００が第２の収納部２１ｂへ完全に収納された場合は、第１のスイッチ２２ｂが復帰状態、第２のスイッチ２２ｄが押下状態となるが、図６Ｂのようにカード２００が第２の収納部２１ｂへ完全に収納されない場合は、第１のスイッチ２２ｂと第２のスイッチ２２ｄは、共に押下状態となる。
【００４７】
図７は、上述した第１の収納部２１ａに設けられた第１のスイッチ２２ａと第２のスイッチ２２ｃ（図５Ａ、図５Ｂ）によるカード収納検出動作の一例を表したフローチャートである。
ステップＳ１では、カードホルダ１００に備えられた第１の収納部２１ａにカード２００を挿入する。ステップＳ２では、第１の収納部２１ａにカード２００が挿入されたか否かを、第１のスイッチ２２ａの出力に基づいて監視し、カード２００が挿入されて第１のスイッチ２２ａが押下されておれば（ステップＳ２：ＹＥＳ）、ステップＳ３以下へ進み、第１のスイッチ２２ａが押下されてなければ（ステップＳ２：ＮＯ）、ステップＳ３以下へ進まず監視状態を維持する。
【００４８】
ステップＳ３では、ステップＳ２に引き続き第１の収納部２１ａにカード２００が収納されたか否かを、第２のスイッチ２２ｃの出力に基づいて監視し、カード２００が収納されて第２のスイッチ２２ｃが押下されておれば（ステップＳ３：ＹＥＳ）、ステップＳ４以下へ進み、第２のスイッチ２２ｃが押下されてなければ（ステップＳ３：ＮＯ）、ステップＳ４以下へ進まず監視状態を維持する。
【００４９】
ステップＳ４では、ステップＳ２に引き続き第１の収納部２１ａにカード２００が収納されたか否かを、第１のスイッチ２２ａの出力に基づいて監視し、カード２００が収納されて第１のスイッチ２２ａが復帰しておれば（ステップＳ４：ＹＥＳ）、ステップＳ５以下へ進み、第１のスイッチ２２ａが復帰してなければ（ステップＳ４：ＮＯ）、ステップＳ５以下へ進まず監視状態を維持する。
【００５０】
ステップＳ５では、ステップＳ３での第２のスイッチ２２ｃの押下状態の出力情報と、ステップＳ４での第１のスイッチ２２ａの復帰状態の出力情報を基に、第１の収納部２１ａにカード２００が完全に収納されたことを検出する。
【００５１】
また、第１のスイッチ２２ａは復帰することにより、収納したカード２００を保持するカード保持用部材としての機能も果たす（図５Ａ参照）。
【００５２】
ステップＳ６では、ステップＳ５で、第１の収納部２１ａにカード２００が完全に収納されたことに連動し、カードホルダ１００に設けられている無線タグ２０を能動化する。すなわち、カード収納検出信号に基づいてメモリ１１からＩＤ情報１１ａを読み出してアンテナ１５により送信し、無線タグ２０とリーダ（図示省略）との間で通信を行う。なお、図５Ｂのようにカード２００が第１の収納部２１ａへ完全に収納されない場合は、ステップＳ４において第１のスイッチ２２ａが復帰状態とならないため（ステップＳ４：ＮＯ）、無線タグ２０は能動化されない。
【００５３】
また、第２の収納部２１ｂに設けられた第１のスイッチ２２ｂと第２のスイッチ２２ｄ（図６Ａ、図６Ｂ）によるカード収納検出動作に関しても、上述のステップＳ１からステップＳ６と同様の動作を行う。
【００５４】
以上において、凸部３１ａは本発明における誤挿入防止手段の一実施形態を構成し、第1のスイッチ２２ａ，２２ｂおよび第２のスイッチ２２ｃ，２２ｄは本発明における収納検出手段の一実施形態を構成している。
【００５５】
このように、上述した本発明の第１実施形態においては、ユーザーはカード２００の挿入時において、カードホルダ１００の収納部に設けられた凸部３１ａとカード２００に設けられた凹部３１ｂを合致させることにより、挿入方向または表裏面を誤ることなくカードホルダ１００へカード２００を挿入することができる。
【００５６】
さらに、カード収納部２１ａ，２１ｂに設けられた第１のスイッチ２２ａ，２２ｂおよび第２のスイッチ２２ｃ，２２ｄにより構成される収納検出手段は、単にカード収納部２１ａ，２１ｂにカード２００が収納されたか否かを検出するだけでなく、その検出情報を用いて、カードホルダ１００に設けられた無線タグ２０の機能を能動化または不能動化する手段として用いているので、凹凸の合致しない他人のカードなどを挿入しても無線タグ２０は能動化されず、これによってセキュリティ面での向上を図ることができる。
【００５７】
図８Ａ〜図９Ｂは本発明の第２実施形態を示した図である。
図８Ａおよび図８Ｂは、カードホルダ１００の裏側にあるカード収納部２１ｂへのカード挿入に際し、カード２００の所定の面である印刷面３２が視認できる状態で挿入した場合と、印刷面３２が視認できない状態で挿入した場合の一例である。また、２２ｉはカード２００において印字面３２と反対側の面に設けられたカード情報記録部である。図８Ａおよび図８Ｂでは図５Ａと同一部分または対応する部分に同一符号を付してある。
【００５８】
図８Ａは、カードが正しく挿入される場合であって、カード２００は、図８Ａの矢印の方向から第１の収納部２１ａへ印字面３２が視認できる状態（外向き）で挿入される。このとき、第１の収納部２１ａに設けられた凸部３１ａと、カード２００に設けられた凹部３１ｂが合致するので、図中の一点鎖線で示す状態で、第１の収納部２１ａへカード２００は完全に収納される。
【００５９】
図８Ｂは、カードが正しく挿入されない場合であって、カード２００は、図８Ｂの矢印の方向から第１の収納部２１ａへ印字面３２が視認できない状態（内向き）で挿入される。このとき、第１の収納部２１ａに設けられた凸部３１ａと、カード２００に設けられた凹部３１ｂが完全に合致しないので、カード２００は図中の一点鎖線で示す位置までしか挿入できず、第１の収納部２１ａへ完全に収納されない。
【００６０】
なお、前記の場合と同様に、カード２００を凹部のない側から第１の収納部２１ａへ挿入した場合（挿入方向を誤った場合）や、凹部の数や間隔が凸部３１ａのそれらと異なるカードを挿入した場合も、カードは完全に収納されない。
【００６１】
第１の収納部２１ａには、透孔２３が形成されており、この透孔２３からスイッチ２２ｅが突出している。また、第１の収納部２１ａにはカード情報読取り部２２ｇが設けられており、このスイッチ２２ｅおよびカード情報読取り部２２ｇは、カード２００が第１の収納部２１ａに収納されたことを検出するためのスイッチおよびセンサーである。図８Ａのようにカード２００が第１の収納部２１ａへ完全に収納された場合は、スイッチ２２ｅが復帰状態となり、カード情報読取り部２２ｇはカード情報読取りが可能な状態となるが、図８Ｂのようにカード２００が第１の収納部２１ａへ完全に収納されない場合は、スイッチ２２ｅが押下状態となり、カード情報読取り部２２ｇはカード情報読取りが不可能（または不完全）な状態となる。
【００６２】
図９Ａおよび図９Ｂは、カードホルダ１００の裏側にあるカード収納部２１ｂへのカード挿入に際し、カード２００の所定の面である印刷面３２が視認できる状態で挿入した場合と、印刷面３２が視認できない状態で挿入した場合の一例である。図９Ａおよび図９Ｂでは図６Ａと同一部分または対応する部分に同一符号を付してある。
【００６３】
図９Ａは、カードが正しく挿入される場合であって、カード２００は、図９Ａの矢印の方向から第２の収納部２１ｂへ印字面３２が視認できる状態（外向き）で挿入される。このとき、第２の収納部２１ｂに設けられた凸部３１ａと、カード２００に設けられた凹部３１ｂが合致するので、図中の一点鎖線で示す状態で、第２の収納部２１ｂへカード２００は完全に収納される。
【００６４】
図９Ｂは、カードが正しく挿入されない場合であって、カード２００は、図９Ｂの矢印の方向から第２の収納部２１ｂへ印字面３２が視認できない状態（内向き）で挿入される。このとき、第２の収納部２１ｂに設けられた凸部３１ａと、カード２００に設けられた凹部３１ｂが完全に合致しないので、カード２００は図中の一点鎖線で示す位置までしか挿入できず、第２の収納部２１ｂへ完全に収納されない。
【００６５】
なお、前記の場合と同様に、カード２００を凹部のない側から第２の収納部２１ｂへ挿入した場合（挿入方向を誤った場合）や、凹部の数や間隔が凸部３１ａのそれらと異なるカードを挿入した場合も、カードは完全に収納されない。
【００６６】
第２の収納部２１ｂには、透孔２３が形成されており、この透孔２３からスイッチ２２ｆが突出している。また、第２の収納部２１ｂにはカード情報読取り部２２ｈが設けられており、このスイッチ２２ｆおよびカード情報読取り部２２ｈは、カード２００が第２の収納部２１ｂに収納されたことを検出するためのスイッチおよびセンサーである。図９Ａのようにカード２００が第２の収納部２１ｂへ完全に収納された場合は、スイッチ２２ｆが復帰状態となり、カード情報読取り部２２ｈはカード情報読取りが可能な状態となるが、図９Ｂのようにカード２００が第２の収納部２１ｂへ完全に収納されない場合は、スイッチ２２ｆが押下状態となり、カード情報読取り部２２ｈはカード情報読取りが不可能（または不完全）な状態となる。
【００６７】
図１０は、上述した第１の収納部２１ａに設けられた第１のスイッチ２２ｅとカード情報読取り部２２ｇ（図８Ａ、図８Ｂ）によるカード収納検出動作の一例を表したフローチャートである。
ステップＳ１１では、カードホルダ１００に備えられた第１の収納部２１ａにカード２００を挿入する。ステップＳ１２では、第１の収納部２１ａにカード２００が挿入されたか否かを、スイッチ２２ｅの出力に基づいて監視し、カード２００が挿入されてスイッチ２２ｅが押下されておれば（ステップＳ１２：ＹＥＳ）、ステップＳ１３以下へ進み、スイッチ２２ｅが押下されてなければ（ステップＳ１２：ＮＯ）、ステップＳ１３以下へ進まず監視状態を維持する。
【００６８】
ステップＳ１３では、ステップＳ１２に引き続き第１の収納部２１ａにカード２００が収納されたか否かを、カード情報読取り部２２ｇの出力に基づいて監視し、カード２００が収納されてカード情報読取り部２２ｇがカード情報記録部２２ｉの情報を読取ることができれば（ステップＳ１３：ＹＥＳ）、ステップＳ１４以下へ進み、カード情報読取り部２２ｇがカード情報記録部２２ｉの情報を読取ることができなければ（ステップＳ１３：ＮＯ）、ステップＳ１４以下へ進まず監視状態を維持する。
【００６９】
ステップＳ１４では、ステップＳ１３に引き続き第１の収納部２１ａにカード２００が収納されたか否かを、スイッチ２２ｅの出力に基づいて監視し、カード２００が収納されてスイッチ２２ｅが復帰しておれば（ステップＳ１４：ＹＥＳ）、ステップＳ１５以下へ進み、スイッチ２２ｅが復帰してなければ（ステップＳ１４：ＮＯ）、ステップＳ１５以下へ進まず監視状態を維持する。
【００７０】
ステップＳ１５では、ステップＳ１３でのカード情報読取り部２２ｇによるカード情報有りの出力情報と、ステップＳ１４でのスイッチ２２ｅの復帰状態の出力情報を基に、第１の収納部２１ａにカード２００が完全に収納されたことを検出する。
【００７１】
また、スイッチ２２ｅは復帰することにより、収納したカード２００を保持するカード保持用部材としての機能も果たす（図８Ａ参照）。
【００７２】
ステップＳ１６では、ステップＳ１５で、第１の収納部２１ａにカード２００が完全に収納されたことに連動し、カードホルダ１００に設けられている無線タグ２０を能動化する。すなわち、カード収納検出信号に基づいてメモリ１１からＩＤ情報１１ａを読み出してアンテナ１５により送信し、無線タグ２０とリーダ（図示省略）との間で通信を行う。なお、図８Ｂのようにカード２００が第１の収納部２１ａへ完全に収納されない場合は、ステップＳ１４においてスイッチ２２ｅが復帰状態とならないため（ステップＳ１４：ＮＯ）、無線タグ２０は能動化されない。
【００７３】
また、第２の収納部２１ｂに設けられたスイッチ２２ｆとカード情報読取り部２２ｈ（図９Ａ、図９Ｂ）によるカード収納検出動作に関しても、上述のステップＳ１１からステップＳ１６と同様の動作を行う。
【００７４】
以上において、スイッチ２２ｅ，２２ｆおよびカード情報読取り部２２ｇ，２２ｈは本発明における収納検出手段の一実施形態を構成している。
【００７５】
このように、上述した本発明の第２実施形態においては、ユーザーはカード２００の収納時において、カードホルダ１００の収納部に設けられた凸部３１ａとカード２００に設けられた凹部３１ｂを合致させることにより、挿入方向または表裏面を誤ることなくカードホルダ１００へカード２００を挿入することができる。
【００７６】
さらに、カード収納部２１ａ，２１ｂに設けられたスイッチ２２ｅ，２２ｆおよびカード情報読取り部２２ｇ，２２ｈにより構成される収納検出手段は、単にカード収納部２１ａ，２１ｂにカード２００が収納されたか否かを検出するだけでなく、その検出情報を用いて、カードホルダ１００に設けられた無線タグ２０の機能を能動化または不能動化する手段として用いているので、凹凸の合致しない他人のカードなどを挿入しても無線タグ２０は能動化されず、これによってセキュリティ面での向上を図ることができる。
【００７７】
本発明では、上述した実施形態以外にも種々の実施形態を採用することができる。
例えば、第１の収納部２１ａに設ける収納検出手段として、図５Ａに示したような第１のスイッチ２２ａと第２のスイッチ２２ｃから構成される収納検出手段を採用し、第２の収納部２１ｂに設ける収納検出手段として、図９Ａに示したようなスイッチ２２ｆとカード情報読取り部２２ｈから構成される収納検出手段を採用することにより、カードホルダ１００に収納するカードの種類を変えることができ、カードホルダの運用面での幅を広げることができる。
【００７８】
また、上述した実施形態においては、第１の収納部２１ａのカード収納方向ｐと第２の収納部２１ｂのカード収納方向ｑとのなす角θを略９０°としたが、この角θを例えば６０°や１２０°などにすることも可能である。
【００７９】
また、上述した実施形態においては、カードホルダ１００に設けた半月状の凸部３１ａと、カード２００に設けた半月状の凹部３１ｂによりカードの誤挿入を防止するようにしているが、これとは逆にカードホルダ１００に半月状の凹部を設け、カード２００に半月状の凸部を設けてもよい。また、凹凸部の形状は半月に限らず、矩形・台形・三角形など他の形状であってもよい。さらに、図１１Ａおよび図１１Ｂに示すように、凸部３１ａと凹部３１ｂをカード挿入方向へ延びる一対のレール状の凸部および凹部にすることも可能であり、コスト面や運用面、デザイン性等を踏まえ、誤挿入防止手段としての機能が害されない範囲において、凸部３１ａと凹部３１ｂの形状を変えることが可能である。
【００８０】
さらに、上述した実施例の凸部３１ａと凹部３１ｂは、誤挿入防止手段を構成するものとして挙げたが、図１２Ａおよび図１２Ｂに示すように、カードホルダ１００およびカード２００に設ける凸部３１ａと凹部３１ｂの個数や配置する位置などを変えることにより、運用面においてカードホルダ１００およびカード２００を関係者と関係者以外、例えば社員用と来客者用とに使い分けることが可能となる。
【図面の簡単な説明】
【００８１】
【図１Ａ】本発明を適用したカードホルダの一例を示す図であり、表側から立体的に見た外観図である。
【図１Ｂ】本発明を適用したカードホルダの一例を示す図であり、裏側から立体的に見た外観図である。
【図２Ａ】同カードホルダに備えられたカード収納部へカードを収納する際の収納方向を示す図である。
【図２Ｂ】同カードホルダに備えられたカード収納部からカードを取り出す際の取り出し方向を示す図である。
【図３Ａ】同カードホルダを表側から平面的に見た外観図である。
【図３Ｂ】同カードホルダを裏側から平面的に見た外観図である。
【図４】同カードホルダに設けられた無線タグの電気的構成を示すブロック図である。
【図５Ａ】本発明の第１実施形態であって、カードホルダの表側の収納部におけるカードの完全な収納状態を示す図である。
【図５Ｂ】本発明の第１実施形態であって、カードホルダの表側の収納部におけるカードの不完全な収納状態を示す図である。
【図６Ａ】本発明の第１実施形態であって、カードホルダの裏側の収納部におけるカードの完全な収納状態を示す図である。
【図６Ｂ】本発明の第１実施形態であって、カードホルダの裏側の収納部におけるカードの不完全な収納状態を示す図である。
【図７】本発明の第１実施形態におけるカード収納検出動作の一例を示すフローチャートである。
【図８Ａ】本発明の第２実施形態であって、カードホルダの表側の収納部におけるカードの完全な収納状態を示す図である。
【図８Ｂ】本発明の第２実施形態であって、カードホルダの表側の収納部におけるカードの不完全な収納状態を示す図である。
【図９Ａ】本発明の第２実施形態であって、カードホルダの裏側の収納部におけるカードの完全な収納状態を示す図である。
【図９Ｂ】本発明の第２実施形態であって、カードホルダの裏側の収納部におけるカードの不完全な収納状態を示す図である。
【図１０】本発明の第２実施形態におけるカード収納検出動作の一例を示すフローチャートである。
【図１１Ａ】本発明の誤挿入防止手段の他の例を示す図である。
【図１１Ｂ】本発明の誤挿入防止手段の他の例を示す図である。
【図１２Ａ】本発明の誤挿入防止手段の他の運用例を示す図である。
【図１２Ｂ】本発明の誤挿入防止手段の他の運用例を示す図である。
【符号の説明】
【００８２】
１１    メモリ
１１ａ   ＩＤ情報（タグＩＤ）
１３    変調部
１４    送信制御部
１５    アンテナ
１６    回路部
１７    電源部
１８    残量検出部
１９    モニタ
２０    無線タグ
２１ａ  第１の収納部
２１ｂ  第２の収納部
２２ａ，２２ｂ  第１のスイッチ
２２ｃ，２２ｄ  第２のスイッチ
２２ｅ，２２ｆ  スイッチ
２２ｇ，２２ｈ  カード情報読取り部
２２ｉ  カード情報記録部
３１ａ  凸部
３１ｂ  凹部
４１    ストラップ
４２    穴部
１００  カードホルダ
２００  カード
【図１Ａ】
2008262400.tif 000003
【図１Ｂ】
2008262400.tif 000004
【図２Ａ】
2008262400.tif 000005
【図２Ｂ】
2008262400.tif 000006
【図３Ａ】
2008262400.tif 000007
【図３Ｂ】
2008262400.tif 000008
【図４】
2008262400.tif 000009
【図５Ａ】
2008262400.tif 000010
【図５Ｂ】
2008262400.tif 000011
【図６Ａ】
2008262400.tif 000012
【図６Ｂ】
2008262400.tif 000013
【図７】
2008262400.tif 000014
【図８Ａ】
2008262400.tif 000015
【図８Ｂ】
2008262400.tif 000016
【図９Ａ】
2008262400.tif 000017
【図９Ｂ】
2008262400.tif 000018
【図１０】
2008262400.tif 000019
【図１１Ａ】
2008262400.tif 000020
【図１１Ｂ】
2008262400.tif 000021
【図１２Ａ】
2008262400.tif 000022
【図１２Ｂ】
2008262400.tif 000023